(57)【特許請求の範囲】
【請求項１】
基台に、水平一方向の対向位置に垂直部および垂直部側に傾けた係止部をそれぞれに有する一対のグリップ金具を、垂直部同士を向き合わせて離隔配置し、両グリップ金具の垂直部と係止部との間に、断面コ字型をなし、かつ下端を両側壁間の開放側が上を向くように直角に折り曲げた一対の鋼製の支持脚をそれぞれ挿入して、支持脚をグリップ金具の垂直部に密着させると共に、支持脚の折り曲げ部先端を、支持脚の両側壁間に挿入したグリップ金具の係止部で上から係止し、かつ、グリップ金具に設けた一対の拘束部で支持脚を上記水平一方向と直交する水平他方向の両側から拘束し、さらに支持脚同士を連結材で連結し、支持脚もしくは連結材に輸送する物品を支持する支持面を設けたことを特徴とする物品輸送台。
【請求項２】
グリップ金具を上記水平他方向に延設し、上記係止部および一対の拘束部を水平他方向の複数箇所に設けた請求項１記載の物品輸送台。
【請求項３】
上記一対の拘束部を、グリップ金具の垂直部に設けた請求項１または２記載の物品輸送台。
【請求項４】
上記一対の拘束部を、グリップ金具の係止部に設けた請求項１または２記載の物品輸送台。
【請求項５】
基台上の上記水平一方向の複数箇所に開口部を形成すると共に、グリップ金具に下方へ突出するストッパ部を設け、このストッパ部を開口部に挿入してグリップ金具の上記水平一方向での位置決めを行うようにした請求項１ないし４何れか記載の物品輸送台。
【請求項６】
グリップ金具と、支持脚のグリップ金具との対向部との間に、支持脚の起立後の転倒を防止する、上下方向で互いに係合可能の係合部を設けたことを特徴とする請求項１ないし５何れか記載の物品輸送台。
【発明の詳細な説明】
【０００１】
【発明の属する技術分野】
本発明は、自動車部品などの大型の部品類を輸送するのに適した物品輸送台に関するものである。
【０００２】
【従来の技術】
大型部品を輸送する際には、物品輸送台が使用される。この物品輸送台は、図１２に示すように、方形あるいは矩形状の基台２１の上に複数の支持脚２２を立設すると共に、２つの支持脚２２の上端間に連結材２３を架設したもので、連結材２３の位置や形状を物品２４（図面では、トラックの運転席を例示する）の下部形状に対応させることによって、当該物品２４を安定して支持できるようになっている。
【０００３】
【発明が解決しようとする課題】
従来では、基台２１、支持脚２２、および連結材２３の何れも木製とし、これらの部材同士の接合を主に釘打ちやボルト締めにより行っている。そのため、組立および解体には手間を要し、これらを繰り返し行うことも難しい。また、輸送物品の形状が異なる場合には、当該形状に対応した輸送台を別途準備する必要があり、多くの種類の輸送台が必要となって、その製造コストや保管コストが高騰する。
【０００４】
そこで、本発明では、組立や解体が容易であり、一つで多種類の物品に対応可能な汎用性を有する物品輸送台の提供を目的とする。
【０００５】
【課題を解決するための手段】
上記目的の達成のため、本発明では、基台に、水平一方向の対向位置に垂直部および垂直部側に傾けた係止部をそれぞれに有する一対のグリップ金具を、垂直部同士を向き合わせて離隔配置し、両グリップ金具の垂直部と係止部との間に、断面コ字型をなし、かつ下端を両側壁間の開放側が上を向くように直角に折り曲げた一対の鋼製の支持脚をそれぞれ挿入して、支持脚をグリップ金具の垂直部に密着させると共に、支持脚の折り曲げ部先端を、支持脚の両側壁間に挿入したグリップ金具の係止部で上から係止し、かつ、グリップ金具に設けた一対の拘束部で支持脚を上記水平一方向と直交する水平他方向の両側から拘束し、さらに支持脚同士を連結材で連結し、支持脚もしくは連結材に輸送する物品を支持する支持面を設けることにより、支持脚を自立させるようにした。
【０００６】
グリップ金具を上記水平他方向に延設し、上記係止部および一対の拘束部を水平他方向の複数箇所に設けておけば、支持脚の水平他方向での位置変更が可能となる。
【０００７】
一対の拘束部は、グリップ金具の垂直部、あるいは係止部の何れか一方、または双方に設けることができる。
【０００８】
基台上の上記水平一方向の複数箇所に開口部を形成すると共に、グリップ金具に下方へ突出するストッパ部を設け、このストッパ部を開口部に挿入してグリップ金具の水平一方向での位置決めを行ってもよい。
【０００９】
グリップ金具と、支持脚のグリップ金具との対向部との間に、支持脚の起立後の転倒を防止する、上下方向で互いに係合可能の係合部を設ければ、組立作業中における支持脚の起立後、連結材による連結前の支持脚の転倒を防止することができる。
【００１０】
【発明の実施の形態】
以下、本発明の実施形態を図１乃至図１１に基いて説明する。
【００１１】
図１に示すように、本発明にかかる輸送台は、矩形あるいは方形状に形成された基台（腰下）１の上面の複数箇所、例えば４箇所に支持脚（馬）２を立設すると共に、対をなす支持脚２同士を連結材３で連結した構造である。物品４の輸送時には、連結材３の上面が物品４を支持する支持面になる。
【００１２】
基台１は鋼板により形成され、その下面には、フォークリフトの差込を可能ならしめるべく、複数の台脚１ａが平行に装着されている。基台１の材質は任意であり、鋼板以外にも例えば木製とすることができる。台脚１ａも図示のように鋼材とする他、木製で製作してもよい。
【００１３】
基台１の上面の複数箇所には、鋼板プレス製のグリップ金具５が取り付けられる。このグリップ金具５は、図２（ａ）に示すように、その水平一方向（Ｘ方向：図１参照）の両端に、底面部５ａの端縁を折り曲げて一対の起立部５ｂ、５ｃを形成したもので、起立部５ｂ、５ｃのうちの一方は垂直部５ｂに、他方は垂直部５ｂ側に鋭角的に傾けた係止部５ｃになっている。垂直部５ｂの両端には、上記水平一方向と直交する水平他方向（Ｙ方向）に離隔させて一対の拘束部５ｄが対向形成され、この拘束部５ｄ間の内寸は支持脚２の幅寸法Ｌ（Ｙ方向の寸法）と同程度とされている。支持脚２は断面コ字型の鋼板プレス品であって、その下端は、両側壁２ｂ間の開放側が上を向くように直角に折り曲げられている。
【００１４】
支持脚２のグリップ金具５上での自立は、図２（ｂ）に示すように、支持脚２の両側壁２ｂ間を架橋する架橋部２ｃの先端２c1（折曲げ部分2aの先端）をグリップ金具５の係止部５ｃの内側に差し込みながら、グリップ金具５の垂直部５ｂと係止部５ｃの間の空間に支持脚２を傾けて挿入し、その後、同図（ｃ）に示すように支持脚２を起立させることによって行われる。図３に示すように、支持脚２を完全に起立させると、支持脚２の架橋部先端２c1がグリップ金具５の係止部５ｃによって上から係止されると共に、架橋部２ｃがグリップ金具５の底面部５ａおよび垂直部５ｂに密着し、これによって支持脚２の自立状態が保持される。
【００１５】
この時、拘束部５ｄが支持脚２の側壁２ｂに外側から係合し、支持脚２をＹ方向両側から拘束するので、支持脚２のＹ方向への位置ずれ（がたつき）も防止される。また、係止部５ｃの幅寸法（Ｙ方向の寸法）を支持脚２の両側壁２ｂ間の内寸と同程度にしておけば、自立後は係止部５ｃの両端が両側壁２ｂに内側から係合して支持脚２のＹ方向両側への位置ずれを防止し、上記拘束部５ｄと同様の機能を得ることができる。このように拘束部は、グリップ金具５の垂直部５ｂだけでなく、係止部５ｃに設けることもできるが、拘束部を垂直部５ｂもしくは係止部５ｃの何れに設けるか（あるいは双方に設けるか）は、物品４の種類やコスト等を勘案して適宜決定することができる。
【００１６】
起立後の支持脚２の転倒を防止するため、図２（ａ）および図３に示すように、グリップ金具５と、支持脚２のグリップ金具５との対向部との間に、上下方向で互いに係合可能の係合部１２を設けてもよい。係合部１２としては、例えばグリップ金具５の垂直部５ｂに係合穴１２ａを形成すると共に、これに対向する支持脚２の架橋部２ｃに係合突起１２ｂを形成したものが考えられる。このような係合部１２を設けることにより、支持脚２の転倒（架橋部先端２c1側を中心とする矢印Ａ方向の回転：図３参照）が防止されるので、起立後、連結材３による連結前の支持脚２の自立安定性を高めることができ、作業性の向上が図れる。係合部１２の構造は支持脚２の転倒を防止できる限り任意であり、図示のような穴１２ａと突起１２ｂとの組み合わせの他、突起同士の組合わせでもよい。また、係合部１２の位置も任意であり、例えば拘束部５ｄと側壁２ｂとの間に設けてもよい。
【００１７】
図４の実施形態は、グリップ金具５の付け替えにより、支持脚２の取付け位置をＸ方向で選択可能にしたもので、基台１の上面に、Ｘ方向の複数箇所に開口部６ａを有する断面台形状の支持台６を取り付けると共に、グリップ金具５の下面に開口部６ａと係合可能のストッパ部７を設けたものである。ストッパ部７としては、例えば図示のように、垂直部７ａと水平部７ｂ（何れも開口部６ａに挿入可能な幅寸法とする）を有する断面Ｌ字型のものが考えられる。この場合、先ずグリップ金具５を傾けながら水平部７ｂを開口部６ａに差し込み、その後グリップ金具５を水平に戻して垂直部７ａを開口部６ａに係合させれば、グリップ金具５のＸ方向での位置決めを行うことができる。また、位置決め後は、水平部７ｂの上面が支持台６の天板部６ｂ裏面に係合するので、グリップ金具５の転倒（矢印Ｂ方向）を防止して、支持脚２の自立安定性を高めることができる。
【００１８】
図５および図６は、支持脚２の取付け位置をＹ方向で選択可能にした一実施形態で、グリップ金具５をＹ方向に延設すると共に、係止部５ｃおよび拘束部をＹ方向の複数箇所に設けたものである。
【００１９】
このうち、図５は、グリップ金具５の垂直部５ｂの複数箇所に拘束部となる切起こし５ｅを設け、この切起こし５ｅで支持脚２の両側壁２ｂを外側から係止することにより、支持脚２をＹ方向で位置決めを可能としたものである。係止部５ｃは、支持脚２の位置決め位置ごとに一つずつ設けられ、それぞれの位置で支持脚２の架橋部先端２c1を上から係止する。なお、この場合も上記と同様に係止部５ｃのＹ方向両端部を拘束部として用いてもよい。
【００２０】
図６は支持脚２の架橋部先端２c1を２以上の係止部５ｃで係止するもので、図５よりもさらに細かいピッチで取付け位置の変更が可能となる。この場合の支持脚２のＹ方向の拘束は、支持脚２の両側壁２ｂの外側にある係止部５ｃ（拘束部５c1、５c2）によって行われる。その他、図示は省略するが、両側壁２ｂの内側にある係止部を拘束部としたり、あるいは図５と同様に垂直部５ｂに設けた切起こしを拘束部としてもよい。
【００２１】
図７は、支持脚２の取付け位置をＸ方向およびＹ方向の双方で選択可能としたもので、図５に示すグリップ金具５に図４と同様のストッパ部７を設けると共に、ストッパ部７に対応する支持台６を基台１上に取り付けたものである。図７では、図５に示すグリップ金具５を例示しているが、図６に示すグリップ金具５を用いてもよい。この場合、グリップ金具５および支持台６を井桁状に配置し、Ｙ方向に離間する一対の支持脚２をそれぞれ共通のグリップ金具５で支持するのが望ましい。
【００２２】
上記のように自立保持された支持脚２のうち、Ｘ方向に離隔した（グリップ金具５の垂直部５ｂ同士が向き合った）一対の支持脚２間には、図１、および図８乃至図１０に示すように、強度アップのための連結材３が配置される。連結材３の固定方法としては、支持脚２の上端を下端と同方向に直角に折り曲げ、この屈曲部２ｄに上から断面コ字型の鋼板製連結材３を被せて両者をボルト９ａおよびナット９ｂを用いて固定したり（図８参照）、連結材３の両端面に舌片３ａを設け、この舌片３ａを、支持脚２の架橋部２ｃを切起こして形成した穴２ｅに挿入する（図９（ａ）参照）等の方法が考えられる。
【００２３】
また、図９（ｂ）に示すように、連結材３を両端にねじ部３ｂを有する軸状とし、ねじ部３ｂを支持脚２の架橋部２ｃに設けた穴２ｆに挿入してナット９ｂで固定してもよい。その他、図１０（ａ）（ｂ）に示すように、ねじ部３ｂを屈曲させ、これを支持脚２の架橋部２ｃに設けた複数の穴２ｆ（ａ図）、あるいは側壁２ｂに設けた穴２ｆ（ｂ図）の何れかに選択的に挿入してナット９ｂで固定してもよい。連結材３は複数本用いてもよく、その場合には、図１０（ａ）のように連結材３をクロス掛けにしたり、あるいは同図（ｂ）のように平行掛けとすることもできる。なお、以上の場合は、支持脚２の上端の屈曲部２ｄが物品４の支持面となる。
【００２４】
個々の支持脚２は、図１１（ａ）（ｂ）に示すように、桁材１０を介して基台１に固定してもよい。図示のものは、その一例で、支持脚２に桁材１０の一端を固定し、桁材１０の他端を基台（図示せず）上に固設されたブラケット１１に固定したものである。このうち、（ａ）図はＬ字アングルからなる桁材１０の一端を支持脚２の架橋部２ｃにボルト止めすると共に、他端をＬ字状のブラケット１１にボルト止めしたものであり、（ｂ）図は帯板状の桁材１０の一端を支持脚２の側壁２ｂにボルト止めすると共に、他端を上記グリップ金具５と同様のブラケット１１に嵌合固定したものである。
【００２５】
【発明の効果】
上記のように本発明では、グリップ金具に対する支持脚の脱着が容易に行えるので、組立や解体も繰り返し能率良く行える。また、支持脚を水平一方向および他方向に付け替え可能としているので、一つの輸送台で多種類の物品に対応可能な汎用性を持たせることができる。
【図面の簡単な説明】
【図１】本発明にかかる物品輸送台の斜視図である。
【図２】物品輸送台の組立手順を示す斜視図である。
【図３】グリップ金具に嵌合した支持脚の断面図である。
【図４】支持脚の自立位置をＸ方向で変更可能とした実施形態を示す斜視図である。
【図５】支持脚の自立位置をＹ方向で変更可能とした実施形態を示す斜視図である。
【図６】支持脚の自立位置をＹ方向で変更可能とした実施形態を示す斜視図である。
【図７】支持脚の自立位置をＸ方向およびＹ方向の双方でで変更可能とした実施形態を示す斜視図である。
【図８】連結材の固定方法を示す斜視図である。
【図９】連結材の固定方法の他の実施形態を示す斜視図である。
【図１０】連結材の固定方法の他の実施形態を示す斜視図である。
【図１１】支持脚の固定方法を示す斜視図である。
【図１２】従来の物品輸送台を示す斜視図である。
【符号の説明】
１    基台
２    支持脚
２ｃ  架橋部
２c1  先端
３    連結材
４    物品
５    グリップ金具
５ａ  底面部
５ｂ  垂直部
５ｃ  係止部
５ｄ  拘束部
６    支持台
６ａ  開口部
７    ストッパ部
【図１】
0004127899.tif 000002
【図２】
0004127899.tif 000003
【図３】
0004127899.tif 000004
【図４】
0004127899.tif 000005
【図５】
0004127899.tif 000006
【図６】
0004127899.tif 000007
【図７】
0004127899.tif 000008
【図８】
0004127899.tif 000009
【図９】
0004127899.tif 000010
【図１０】
0004127899.tif 000011
【図１１】
0004127899.tif 000012
【図１２】
0004127899.tif 000013